(57)【要約】【課題】従来のハンドルカバーは車輌のハンドルの直径に適合した断面Ｃ形の円環状のゴムチューブを車輌のハンドルに被せて固定していたが、ハンドルに被せるときに力が必要で、また、厚みのあるゴムチューブを被せたときはハンドルを握った時のフィット感が損なわれるという欠点があった。【解決手段】本発明のハンドルカバーは、ハンドルに被せる断面Ｃ形の円環状の伸縮性のあるカバー本体と、このカバー本体の一端縁内面に設けた一方の面接着部と、上記カバー本体の他端縁の内面に設けた、上記一方の面接着部に接着される他方の面接着部とよりなり、上記他方の面接着部は帯状部とこの帯状部の外側縁に一定の間隔を開けて設けた上記一方の面接着部の方向に伸びる複数の舌部とよりなることを特徴とする。上記他方の面接着部の帯状部分は切り欠きを有する。【選択図】  図１
2004268614.tif 000002
【特許請求の範囲】
【請求項１】
ハンドルに被せる断面Ｃ形の円環状の伸縮性のあるカバー本体と、このカバー本体の一端縁に設けた一方の面接着部と、上記カバー本体の他端縁に設けた、上記一方の面接着部に接着される他方の面接着部とよりなることを特徴とするハンドルカバー。
【請求項２】
上記一方の面接着部が上記一端縁に沿って間隔を置いて設けた複数の面接触部からなることを特徴とする請求項１記載のハンドルカバー。
【請求項３】
上記他方の面接着部が上記カバー本体の他端縁に沿って間隔を置いて設けた上記一方の面接着部に向って伸びる複数の舌部とよりなることを特徴とする請求項１または２記載のハンドルカバー。
【請求項４】
上記他方の面接着部が帯状部と、この帯状部の外側縁から間隔を置いて設けた上記一方の面接着部の方向に伸びる複数の舌部とよりなることを特徴とする請求項１または２記載のハンドルカバー。
【請求項５】
上記他方の面接着部の帯状部にその内側縁から間隔を置いて外側縁に向って延びる複数の切り欠き部を設けたことを特徴とする請求項４記載のハンドルカバー。
【請求項６】
上記一方及び他方の面接着部が夫々雄，雌関係の面接触テープであることを特徴とする請求項１、２、３、４または５記載のハンドルカバー。
【請求項７】
上記一方の面接着部が雄形の面接触テープであり、上記他方の面接着部が伸縮性のある生地であることを特徴とする請求項１、２、３または４記載のハンドルカバー。
【発明の詳細な説明】
【０００１】
【発明の属する技術分野】
本発明はハンドルカバー、特に車輌のハンドルのカバーに関するものである。
【０００２】
【従来の技術】
従来のハンドルカバーにおいては、内側が開いた断面Ｃ形の円環状のカバーを車輌のハンドルに被せ、上記カバーの内側の互いに対向する両端縁を皮ひもで編み上げて、車輌のハンドルに固定していたが、ハンドルの内側の両端縁を皮ひもで編み上げていく作業は非常に面倒であるため、その表面に生地を縫い付けた、車輌のハンドルの直径に適合した内側が開いた断面Ｃ形の円環状のゴムチューブを車輌のハンドルに弾性力で被せて、ハンドルに固定していた（特許文献１）。
【０００３】
【特許文献１】
実公昭３９−２３６２２号公報（明細書１頁、図１）
【０００４】
【発明が解決しようとする課題】
然しながら、上記断面Ｃ形の円環状のゴムチューブを車輌のハンドルに被せるときには力が必要で、また、ハンドルの内側にはカバーが掛からずハンドルのこの部分が剥き出しで外観が悪く、また、厚みのあるゴムチューブを被せた場合にはハンドルを握った時のフィット感が損なわれるという欠点があった。
【０００５】
また、ハンドルの異なる径毎に大きさの異なるゴムチューブを用意する必要があり汎用性に欠けていた。
【０００６】
本発明は上記のような欠点を除くようにしたものである。
【０００７】
【課題を解決するための手段】
本発明のハンドルカバーは、ハンドルに被せる断面Ｃ形の円環状の伸縮性のあるカバー本体と、このカバー本体の一端縁に設けた一方の面接着部と、上記カバー本体の他端縁に設けた、上記一方の面接着部に接着される他方の面接着部とよりなることを特徴とする。
【０００８】
上記一方の面接着部は、上記一端縁に沿って間隔を置いて設けた複数の面接触部からなることを特徴とする。
【０００９】
上記他方の面接着部は、上記カバー本体の他端縁に沿って間隔を置いて設けた上記一方の面接着部に向って伸びる複数の舌部とよりなることを特徴とする。
【００１０】
上記他方の面接着部は、帯状部と、この帯状部の外側縁から間隔を置いて設けた上記一方の面接着部の方向に伸びる複数の舌部とよりなることを特徴とする。
【００１１】
上記他方の面接着部の帯状部にその内側縁から間隔を置いて外側縁に向って延びる複数の切り欠き部を設けたことを特徴とする。
【００１２】
上記一方及び他方の面接着部は、夫々雄，雌関係の面接触テープであることを特徴とする。
【００１３】
上記一方の面接着部は、雄形の面接触テープであり、上記他方の面接着部が伸縮性のある生地であることを特徴とする。
【００１４】
【発明の実施の形態】
以下図面によって本発明の実施例を説明する。
【００１５】
図１〜図３は本発明のハンドルカバーを示し、１は車輌のハンドル、２はこのハンドル１に被せるカバー本体を示し、本発明においてはカバー本体２を立体裁断された断面Ｃ形の円環状の布等の伸縮性のある材料で作り、このカバー本体２の一端縁の内面に互いに接合される雄状及び雌状の面接着テープの一方３を取付け、上記カバー本体２の他端縁の内面に、面接着テープの他方４を取り付けると共に、上記カバー本体２の外側の中央部内面に帯状の滑り止め部材５を設ける。
【００１６】
上記一方の面接着テープ３は帯状とし、上記他方の面接着テープ４は帯状部６と、この帯状部６の外側縁から一定の間隔を置いて上記一方の面接着テープ３側に所望の長さ伸びる複数の舌部７と、上記帯状部６の内側縁から一定の間隔を置いて形成した、外側縁の方向に延びる複数の切り欠き部８とにより構成せしめる。
【００１７】
なお、上記他方の面接着テープ４の帯状部６は、例えば、上記切り込み部７を横切る位置で伸縮性のある糸９により上記カバー本体２に縫い上げ固定する。
【００１８】
本発明のハンドルカバーは上記のような構成であるから、車輌のハンドル１にカバー本体２を取り付ける場合には、上記一方の面接着テープ３を上記他方の面接着テープ４の舌部７に重ねて接続すれば、舌部７の長さの範囲で、車輌のハンドル１の直径の大小にかかわらずカバー本体２をハンドルに装着可能となる。
【００１９】
なお、図３に示すように、車輌のハンドル１のスポーク部１０においては舌部７は一方の面接着テープ３と接続できず、一方の面接着テープ３と接続した隣接する舌部７と異なる方向に折れ曲がるが、各舌部７は互いに離間しているため、隣接する舌部７と干渉することはない。
【００２０】
また、ハンドル１の直径が小さくて上記舌部７の基部と上記一方の面接着テープ３とが接着するようになる場合には、上記舌部７の先端部で形成される円弧が上記ハンドル１の円弧と合わなくなるが、各舌部７は互いに間隔を有するからこの間隔が縮まることで皺がよったりすることがなく、カバー本体２を付けたハンドルを握った場合感触が悪くなるということがない。
【００２１】
また、面接着テープ３及び４は伸びにくい性質のものであるが、上記切り欠き部８により上記帯状部６が伸びるので、カバー本体２の他端縁をハンドルの外径より広げることができ、ハンドル１に上記カバー本体２を容易に取り付け取り外しができるようになる。
【００２２】
なお、他方の面接着テープ４の帯状部６に上記切り欠き部８を設けず、上記カバー本体２の一端縁に設ける上記一方の面状接着テープ３の生地として、帯状のフレンチパイルなどの伸びる素材からなる生地を用いれば、カバー本体２の一端縁をハンドルの外径より広げることができ、ハンドル１に上記カバー本体２を容易に取り付け取り外しができるようになる。
【００２３】
また、他方の面接着テープ４の帯状部６に上記切り欠きを設けず、上記一方の面接着テープ３を帯状とする代わりに、一定の間隔を置いて配置した複数の面接着テープとすれば、同じくカバー本体２の一端縁をハンドルの外径より広げることができ、ハンドル１に上記カバー本体２を容易に取り付け取り外しができるようになる。
【００２４】
なお、上記他方の面接着テープ４から帯状部６を省略し舌部７のみとし、この舌部７の基部を夫々カバー本体２に縫製するようにしても良い。
【００２５】
図４及び図５は本発明の他の実施例を示し、この実施例においては車輌のハンドルに被せる立体裁断された断面Ｃ形の布等の伸縮性のある円環状のカバー本体２の一端縁内面に、一定の間隔を置いて複数雄状の面接着テープ１１を設け、上記カバー本体２の他端縁内面に、上記雄状の面接着テープ１１に接着される幅広の帯状のフレンチパイルなどの柔らかい伸びる素材からなる生地１２を設け、上記カバー本体２の外側の中央部内面に帯状の滑り止め部材５を設ける。
【００２６】
本発明の他の実施例におけるカバー本体２は上記のような構成であるから、車輌のハンドル１にカバー本体２を取り付けた場合には、上記面接着テープ１１を上記他方の生地１２に重ねて接続すれば、生地１２の幅の範囲で車輌のハンドル１の直径の大小にかかわらずカバー本体２をハンドルに装着可能となる。
【００２７】
また、車輌のハンドル１のスポーク部１０における生地１２は上記面接着テープ１１と接続できないが、生地１２は柔らかいのでハンドル１のスポーク部１０においても隙間無く接するようになる。
【００２８】
また、ハンドル１の直径が小さくて上記生地１２の基部が上記面接着テープ１１に接着するようになる場合には、上記生地１２の先端部で形成される円弧が上記ハンドル１の円弧と合わなくなり、生地１２の先端部に皺がよったりするが生地１２は柔らかいので、カバーを付けたハンドルを握った感触が悪くなるということがない。
【００２９】
また、一定の間隔を置いて複数の面接着テープ１１を設けたので、カバー本体２の一端縁をハンドルの外径より広げることができ、ハンドル１に上記カバー本体２を容易に取り付け取り外しができるようになる。
【００３０】
また、帯状のフレンチパイルなどの伸びる素材からなる生地１２を設けたので、カバー本体２の他端縁をハンドルの外径より広げることができ、ハンドル１に上記カバー本体２を容易に取り付け取り外しができるようになる。
【００３１】
【発明の効果】
上記のように本発明によれば、カバー本体２の一端縁と他端縁の何れか一方又は双方が伸びるのでハンドルへの装着が容易であり、装着のフィット感がよく、素材の質感を感じることができ、ハンドルの内側もしっかりとカバーされるという大きな利益がある。
【図面の簡単な説明】
【図１】本発明のハンドルカバーをハンドルに締め付ける前の状態におけるハンドルカバーの内周面の一部の正面図である。
【図２】図１に示すハンドルカバーの内周面における一端縁と他端縁を反転した状態の正面図である。
【図３】本発明のハンドルカバーをハンドルに取り付けた状態の平面図である。
【図４】本発明の他の実施例におけるハンドルカバーをハンドルに締め付ける前の状態におけるハンドルカバーの内周面の一部の正面図である。
【図５】図４に示すハンドルカバーの内周面における一端縁と他端縁を反転した状態の正面図である。
【符号の説明】
１  ハンドル
２  カバー本体
３  一方の面接着テープ
４  他方の面接着テープ
５  滑り止め部材
６  帯状部
７  舌部
８  切り欠き部
９  伸縮性のある糸
１０  スポーク部
１１  雄状の面接着テープ
１２  生地
【図１】
2004268614.tif 000003
【図２】
2004268614.tif 000004
【図３】
2004268614.tif 000005
【図４】
2004268614.tif 000006
【図５】
2004268614.tif 000007